(57)【要約】【課題】ガソリンスタンド，食事処，駐車場等の施設に関する情報をユーザが入手することが可能なナビゲーション装置を提供する。【解決手段】各施設１００の送信機１からは、該施設１００に関する情報を示す施設データが送信されており、移動体に設置されたナビゲーション装置２００においては、受信機４は、送信機１から送信されてくる施設データを受信すると、解析手段５は、該施設データを解析する。描画手段１０は、位置測定手段６により測定された移動体の現在位置，読出手段８により地図データ記憶手段９から読み出された地図データ，解析手段５により解析された施設データに基づいて、表示内容を作成し、表示手段１１は、該表示内容を表示する。【選択図】図１
2006171007.tif 000002
【特許請求の範囲】
【請求項１】
移動体に設置されるナビゲーション装置において、
施設の種類および場所を少なくとも示す施設データを受信する受信手段と、上記受信手段により受信された施設データを解析する解析手段と、地図データを記憶している地図データ記憶手段と、上記移動体の現在位置を測定する位置測定手段と、上記地図データ記憶手段に記憶されている地図データのうち、上記位置測定手段により測定された現在位置を含む地図データを読み出す読出手段と、上記読出手段により読み出された地図データ，上記位置測定手段により測定された現在位置，上記解析手段により解析された施設データに基づいて、表示内容を作成する描画手段と、上記描画手段により作成された表示内容を表示する表示手段とを備えたことを特徴とするナビゲーション装置。
【請求項２】
請求項１記載のナビゲーション装置において、
上記受信手段は、受信した施設データに盗聴用スクランブルがかけられている場合は、それを解除することを特徴とするナビゲーション装置。
【請求項３】
請求項１または２記載のナビゲーション装置において、
施設の種類を入力することが可能な入力手段をさらに備え、
上記受信手段は、１つ以上の施設からそれぞれ送信されてくる施設データを受信し、
上記解析手段は、上記受信手段により受信された施設データを解析する際に、上記入力手段により入力された施設の種類に対応する施設データを選択することを特徴とするナビゲーション装置。
【請求項４】
請求項１または２記載のナビゲーション装置において、
上記受信手段により受信された施設データを記憶するデータ記憶手段をさらに備え、
上記受信手段は、施設データを複数記憶している施設データ送信局から送信されてくる施設データを受信し、
上記解析手段は、上記データ記憶手段に記憶されている施設データを解析することを特徴とするナビゲーション装置。
【請求項５】
請求項１または２記載のナビゲーション装置において、
上記受信手段の代わりに、施設データを複数記憶しているサービスセンタとの間を交換網を介して接続し、該サービスセンタから送信されてくる施設データを受信する無線電話を内蔵または接続しており、
上記無線電話により受信された施設データを記憶するデータ記憶手段をさらに備え、
上記解析手段は、上記データ記憶手段に記憶されている施設データを解析することを特徴とするナビゲーション装置。
【請求項６】
請求項５記載のナビゲーション装置において、
上記無線電話は、上記位置測定手段により測定された現在位置を上記交換網を介して上記サービスセンタに送信した場合に、該現在位置からの距離が予め決められた範囲内に位置する施設データを受信することを特徴とするナビゲーション装置。
【請求項７】
請求項５または６記載のナビゲーション装置において、
上記位置測定手段は、上記移動体の進行方向をさらに測定し、
上記無線電話は、上記位置測定手段により測定された進行方向を上記交換網を介して上記サービスセンタに送信した場合に、該進行方向に対して予め決められた角度範囲内に位置するが予め決められた範囲内に位置する施設データを受信することを特徴とするナビゲーション装置。
【請求項８】
請求項５，６または７記載のナビゲーション装置において、
施設の種類を入力することが可能な入力手段をさらに備え、
上記無線電話は、上記入力手段により入力された施設の種類を上記交換網を介して上記サービスセンタに送信した場合に、該施設の種類に対応する施設データを受信することを特徴とするナビゲーション装置。
【請求項９】
請求項８記載のナビゲーション装置において、
上記入力手段は、上記ナビゲーション装置のユーザを識別するためのユーザ識別情報を入力することが可能であり、
上記無線電話は、上記入力手段により入力されたユーザ識別情報を上記交換網を介して上記サービスセンタに送信した場合に、該ユーザ識別情報が正当なものであるならば、上記サービスセンタから送信されてくる施設データを受信することが可能となることを特徴とするナビゲーション装置。
【請求項１０】
請求項４または５記載のナビゲーション装置において、
上記解析手段は、上記データ記憶手段に記憶されている施設データを解析する際に、上記位置測定手段により測定された現在位置からの距離が予め決められた範囲内に位置する施設データを選択することを特徴とするナビゲーション装置。
【請求項１１】
請求項４，５または１０記載のナビゲーション装置において、
上記位置測定手段は、上記移動体の進行方向をさらに測定し、
上記解析手段は、上記データ記憶手段に記憶されている施設データを解析する際に、上記位置測定手段により測定された進行方向に対して予め決められた角度範囲内に位置する施設データを選択することを特徴とするナビゲーション装置。
【請求項１２】
請求項４，５，１０または１１記載のナビゲーション装置において、
施設の種類を入力することが可能な入力手段をさらに備え、
上記受信手段は、上記入力手段により施設の種類が入力された場合に、施設データを受信し、
上記解析手段は、上記受信手段により受信された施設データを解析する際に、上記入力手段により入力された施設の種類に対応する施設データを選択することを特徴とするナビゲーション装置。
【請求項１３】
請求項１２記載のナビゲーション装置において、
上記入力手段は、上記移動体の目的地を入力することが可能であり、
上記位置測定手段により測定された現在位置から上記入力手段により入力された目的地に至るルートを計算するルート計算手段をさらに備え、
上記描画手段は、上記読出手段により読み出された地図データ，上記位置測定手段により測定された現在位置，上記解析手段により解析された施設データ，上記ルート計算手段により計算されたルートに基づいて、表示内容を作成することを特徴とするナビゲーション装置。
【請求項１４】
請求項１３記載のナビゲーション装置において、
上記解析手段は、上記データ記憶手段に記憶されている施設データ解析する際に、上記ルート計算手段により計算されたルートからの距離が予め決められた範囲内に位置する施設データを選択することを特徴とするナビゲーション装置。
【請求項１５】
請求項４記載のナビゲーション装置において、
上記受信手段の代わりに、送信機能および受信機能を合わせ持った送受信手段を備えたことを特徴とするナビゲーション装置。
【請求項１６】
請求項１５記載のナビゲーション装置において、
上記送受信手段は、上記位置測定手段により測定された現在位置を上記施設データ送信局に送信した場合に、該現在位置からの距離が予め決められた範囲内に位置する施設データを受信することを特徴とするナビゲーション装置。
【請求項１７】
請求項１５または１６記載のナビゲーション装置において、
上記位置測定手段は、上記移動体の進行方向をさらに測定し、
上記送受信手段は、上記位置測定手段により測定された進行方向を上記施設データ送信局に送信した場合に、該進行方向に対して予め決められた角度範囲内に位置する施設データを受信することを特徴とするナビゲーション装置。
【請求項１８】
請求項１５，１６または１７記載のナビゲーション装置において、
施設の種類を入力することが可能な入力手段をさらに備え、
上記受信手段は、上記入力手段により入力された施設の種類を上記施設データ送信局に送信した場合に、該施設の種類に対応する施設データを受信することを特徴とするナビゲーション装置。
【発明の詳細な説明】
【技術分野】
【０００１】
本発明は、移動体に設置されるナビゲーション装置に係り、特に、該ナビゲーション装置のユーザが、ガソリンスタンド，レストラン，駐車場等の施設に関する情報を入手することを可能とするナビゲーション装置に関する。
【背景技術】
【０００２】
近年、移動体に設置され、該移動体の現在位置，該現在位置を含む地図データ，移動体の走行ルート等を表示するナビゲーション装置が普及している。
【０００３】
このようなナビゲーション装置においては、移動体の現在位置を測定するために、衛星から送信された信号を受信する受信手段を備えたものはあるが、該受信手段は、ガソリンスタンド，レストラン，駐車場等の施設に関する情報を受信する仕様とはなっていなかった。
【０００４】
なお、衛星から送信された信号以外の情報を受信する受信手段を備えたナビゲーション装置の例としては、例えば、ガソリンスタンドの電話番号を記憶しているデータベースと、ガソリンスタンドから送信された電話番号を受信する受信手段とを備えたものがある（特許文献１参照）。これは、移動体の走行ルートの出発地および目的地を設定する際に、出発地や目的地の対象となる登録位置に割当てられたコード番号を入力するようにした場合に、出発地については、コード番号を入力しなくても、ガソリンスタンドから送信された電話番号に基づいて設定することができるようにした技術である。
【０００５】
【特許文献１】特開平３−７６０００号公報
【発明の開示】
【発明が解決しようとする課題】
【０００６】
上記従来技術は、目的地に至るルートにおいて、ガソリンスタンドが位置する場所を出発地として設定するものであって、ガソリンスタンド自体に関する情報を入手する方法については考慮されていなかった。
【０００７】
このように、従来は、ナビゲーション装置のユーザは、ガソリンスタンド，レストラン，駐車場等の施設に関する情報を入手することができなかった。
【０００８】
本発明の目的は、ガソリンスタンド，レストラン，駐車場等の施設に関する情報をユーザが入手することが可能なナビゲーション装置を提供することにある。
【課題を解決するための手段】
【０００９】
上記目的を達成するために、本発明は、移動体に設置されるナビゲーション装置において、施設の種類および場所を少なくとも示す施設データを受信する受信手段と、上記受信手段により受信された施設データを解析する解析手段と、地図データを記憶している地図データ記憶手段と、上記移動体の現在位置を測定する位置測定手段と、上記地図データ記憶手段に記憶されている地図データのうち、上記位置測定手段により測定された現在位置を含む地図データを読み出す読出手段と、上記読出手段により読み出された地図データ，上記位置測定手段により測定された現在位置，上記解析手段により解析された施設データに基づいて、表示内容を作成する描画手段と、上記描画手段により作成された表示内容を表示する表示手段とを備えるようにしている。
また、施設の種類を入力することが可能な入力手段をさらに備えるようにしてもよく、このようにした場合、上記解析手段は、上記受信手段により受信された施設データを解析する際に、上記入力手段により入力された施設の種類に対応する施設データを選択するようにすることができる。なお、このようなナビゲーション装置においては、上記受信手段は、１つ以上の施設からそれぞれ送信されてくる施設データを受信するようにし、これにより、施設とナビゲーション装置とから構成される情報伝送表示システムを構築することができる。
また、上記受信手段により受信された施設データを記憶するデータ記憶手段をさらに備えるようにしてもよく、このようにした場合、上記解析手段は、上記データ記憶手段に記憶されている施設データを解析することとなる。なお、このようなナビゲーション装置においては、上記受信手段は、施設データを複数記憶している施設データ送信局から送信されてくる施設データを受信するようにし、これにより、施設データ送信局とナビゲーション装置とから構成される情報伝送表示システムを構築することができる。
また、上記受信手段の代わりに、施設データを複数記憶しているサービスセンタとの間を交換網を介して接続し、該サービスセンタから送信されてくる施設データを受信する無線電話を内蔵または接続するようにし、上記無線電話により受信された施設データを記憶するデータ記憶手段をさらに備えるようにしてもよく、このようにした場合、上記解析手段は、上記データ記憶手段に記憶されている施設データを解析することとなる。これにより、サービスセンタとナビゲーション装置から構成される情報伝送表示システムを構築することができる。
なお、上記解析手段は、上記データ記憶手段に記憶されている施設データを解析する際に、上記位置測定手段により測定された現在位置からの距離が予め決められた範囲内に位置する施設データを選択するようにしてもよい。
また、上記位置測定手段は、上記移動体の進行方向をさらに測定するようにしてもよく、このようにした場合は、上記解析手段は、上記データ記憶手段に記憶されている施設データを解析する際に、上記位置測定手段により測定された進行方向に対して予め決められた角度範囲内に位置する施設データを選択するようにすることができる。
また、施設の種類を入力することが可能な入力手段をさらに備えるようにしてもよく、このようにした場合は、上記受信手段は、上記入力手段により施設の種類が入力された場合に、施設データを受信するようにし、上記解析手段は、上記受信手段により受信された施設データを解析する際に、上記入力手段により入力された施設の種類に対応する施設データを選択するようにすることができる。
ナビゲーション装置においては、施設，施設データ送信局，サービスセンタ等から送信されてくる施設データを受信し、受信した施設データの全部または一部を、地図データや現在位置等と共に表示することができるので、ナビゲーション装置のユーザは、表示画面を見るだけで、施設に関する情報を容易に知ることができる。
【発明の効果】
【００１０】
以上説明したように、本発明によれば、移動体に設置されたナビゲーション装置のユーザは、ガソリンスタンド，食事処，駐車場等の施設に関する情報を入手することができるという効果がある。
【発明を実施するための最良の形態】
【００１１】
以下、本発明の実施例について図面を参照して説明する。
【００１２】
まず、本発明の第１の実施例について、図１〜図４を用いて説明する。
【００１３】
図１は本発明の第１の実施例のナビゲーション装置を適用した情報伝送表示システムの構成図である。
【００１４】
図１において、１００はガソリンスタンド，食事処，駐車場等の種々の施設、２００は移動体に設置されたナビゲーション装置である。
【００１５】
図１に示すように、施設１００は、送信機１，送信用アンテナ２を備えている。また、ナビゲーション装置２００は、受信用アンテナ３，受信機４，解析手段５，位置測定手段６，制御手段７，読出手段８，地図データ記憶手段９，描画手段１０，表示手段１１，入力手段１２を備えた構成となっている。なお、図１では、１つのナビゲーション装置２００に対して、１つの施設１００しか示していないが、実際には、複数存在する。
【００１６】
施設１００においては、送信機１は、送信用アンテナ２を通じて、予め決められた一定時間ごとに、自施設１００に関する情報を示す施設データを送信する。ここで、送信機１は、例えば、到達距離が数十メートル〜百メートル程度の電波信号または光信号を用いて、施設データを送信するものである。これは、到達距離が比較的短い信号を用いることで、多量の信号を同時に受信することによりナビゲーション装置２００が混乱することを避けるためである。
【００１７】
施設データは、図２に示すように、ガソリンスタンド，食事処，駐車場等の施設１００の種類を示す識別コードと、施設１００の場所（緯度，経度）を示す場所データとから構成され、さらに、駐車場を備えた施設１００である場合には、該駐車場が空車であるか満車であるかを示す付加データを含むようにすることができる。
【００１８】
ナビゲーション装置２００においては、受信機４は、受信用アンテナ３を通じて、施設１００から送信された施設データを受信すると、該施設データを解析手段５に渡す。解析手段５は、受信機４により受信された施設データを解析し、該施設データを描画手段１０に渡す。すなわち、解析手段５は、施設データに含まれている識別コードから施設１００の種類を求め、施設データに含まれている場所データから施設１００の場所を求める。また、付加データが含まれている場合は、該付加データから駐車場が空車であるか満車であるかを求める。
【００１９】
一方、位置測定手段６は、移動体の現在位置を測定し、該現在位置を制御手段７に渡す。制御手段７は、地図データ記憶手段９に記憶されている地図データのうち、位置測定手段６により測定された現在位置をほぼ中心とする地図データを読み出すよう、読出手段８を制御する。読出手段８は、地図データ記憶手段９に記憶されている地図データのうち、位置測定手段６により測定された現在位置をほぼ中心とする地図データを読み出し、該地図データを描画手段１０に渡す。また、制御手段７は、位置測定手段６により測定された現在位置を描画手段１０に渡す。
【００２０】
なお、位置測定手段６は、例えば、ＧＰＳ（Grobal Positioning System）位置測定装置により実現することができる。
【００２１】
描画手段１０は、解析手段５により解析された施設データ，読出手段８により読み出された地図データ，位置測定手段６により測定された現在位置を合成して、表示手段１１に表示可能な表示データに変換し、該表示データを表示手段１１に渡す。表示手段１１は、描画手段１０により変換された表示データを表示する。
【００２２】
図３は表示手段１１の表示例を示す図である。
【００２３】
図３に示すように、表示手段１１には、現在位置を表すカーソル，食事処を表すマーク，食事処の駐車場が空車であることを表す付加メッセージが表示されている。
【００２４】
上述したように、本実施例によれば、ナビゲーション装置２００のユーザは、移動体の現在位置を知ることができると共に、ガソリンスタンド，食事処，駐車場等の施設１００に関する情報を入手することができる。
【００２５】
また、ナビゲーション装置２００において、入力手段１２は、ナビゲーション装置２００のユーザが、場所等を知りたい所望の施設１００の種類を１つ以上選択指示することができるようになっている。
【００２６】
図４は入力手段１２の一例を示す図である。
【００２７】
図４の例は、表示手段１１の画面上に設けられたタッチパネルにより入力手段１２を実現した例を示しているが、このほかにも、複数の選択スイッチを備えたスイッチパネル等により実現することができる。
【００２８】
ナビゲーション装置２００のユーザが、入力手段１２を用いて、所望の施設１００の種類を選択指示すると、該施設１００の種類は、制御手段７に渡される。制御手段７は、ユーザにより施設の種類が選択指示されると、受信機４により受信された施設データのうち、ユーザにより選択指示された施設１００の種類を示す識別コードを含む施設データを解析するよう、解析手段５を制御する。解析手段５は、受信機４により受信された施設データのうち、ユーザにより選択指示された施設１００の種類を示す識別コードを含む施設データを解析し、該施設データを描画手段１０に渡す。
【００２９】
描画手段１０は、解析手段５により解析された施設データ，読出手段８により読み出された地図データ，位置測定手段６により測定された現在位置を合成して、表示手段１１に表示可能な表示データに変換し、該表示データを表示手段１１に渡す。表示手段１１は、描画手段１０により変換された表示データを表示する。
【００３０】
これにより、表示手段１１には、ユーザにより選択指示された種類の施設１００に関する情報が表示されることとなる。
【００３１】
上述したように、本実施例によれば、ナビゲーション装置２００のユーザは、移動体の現在位置を知ることができると共に、所望の施設１００に関する情報を入手することができる。
【００３２】
なお、本実施例においては、施設１００の種類ごとに識別コードを割当てているが、施設１００の種類ごとに、異なる周波数で施設データを送信するようにしてもよく、このようにすれば、識別コードは不要となる。
【００３３】
次に、本発明の第２の実施例について、図５および図６を用いて説明する。
【００３４】
図５は本発明の第２の実施例のナビゲーション装置を適用した情報伝送表示システムの構成図である。
【００３５】
図５において、３００は施設データ送信局、４００は移動体に設置されたナビゲーション装置である。
【００３６】
図５に示すように、施設データ送信局３００は、送信機１，送信用アンテナ２，データベース１５を備えている。また、ナビゲーション装置４００は、受信用アンテナ３，受信機４，位置測定手段６，制御手段７，読出手段８，地図データ記憶手段９，描画手段１０，表示手段１１，入力手段１２，データ記憶手段１９を備えた構成となっている。なお、図５では、１つのナビゲーション装置４００に対して、施設データ送信局３００を１つしか示していないが、実際には、複数存在する。
【００３７】
本実施例が上記第１の実施例と異なるのは、施設からではなく、施設データを記憶しているデータベース１５を備えた施設データ送信局３００から、ナビゲーション装置４００に対して、施設データを送信するようにした点である。
【００３８】
そして、本実施例では、１つの施設データ送信局３００が、１種類の施設データをデータベース１５に記憶しているものとして説明する。すなわち、データベース１５には、施設データ送信局３００からの距離が予め決められた範囲内（例えば、半径数キロメートル以内）に位置する施設のうち、種類が同じ施設に関する情報を示す施設データが記憶されている。なお、施設データの構成は、上記第１の実施例で説明した通りである。
【００３９】
施設データ送信局３００においては、送信機１は、送信用アンテナ２を通じて、予め決められた一定時間ごとに、データベース１５に記憶されている施設データを送信する。ここで、送信機１は、例えば、到達距離が数キロメートル程度の電波信号または光信号を用いて、施設データを送信するものである。
【００４０】
ナビゲーション装置４００においては、上記第１の実施例で説明したように、入力手段１２は、ナビゲーション装置４００のユーザが、場所等を知りたい所望の施設の種類を１つ以上選択指示することができるようになっている。
【００４１】
ナビゲーション装置４００のユーザが、入力手段１２を用いて、所望の施設の種類を選択指示すると、該施設の種類は、制御手段７に渡される。また、位置測定手段６は、移動体の現在位置を測定し、該現在位置を制御手段７に渡す。
【００４２】
図６は制御手段７の内部構成図である。
【００４３】
制御手段７は、図６に示すように、制御部７１，位置比較部７２を備えた構成となっている。
【００４４】
さて、制御手段７は、ユーザにより施設の種類が選択指示されると、施設データ送信局３００から送信された施設データを受信するよう、制御部７１によって受信機４を制御する。受信機４は、受信用アンテナ３を通じて、施設データ送信局３００から送信された施設データを受信すると、該施設データをデータ記憶手段１９に記憶する。
【００４５】
続いて、制御手段７は、位置測定手段６により測定された現在位置と、データ記憶手段１９に記憶されている施設データに含まれている場所データとを、位置比較部７２によって比較し、データ記憶手段１９に記憶されている施設データのうち、ユーザにより選択指示された種類を示す識別コードを含み、かつ、該現在位置からの距離が予め決められた範囲内（例えば、半径５００メートル以内）に位置する施設データを解析するよう、制御部７１によって解析手段５を制御する。また、制御手段７は、地図データ記憶手段９に記憶されている地図データのうち、位置測定手段６により測定された現在位置をほぼ中心とする地図データを読み出すよう、制御部７１によって読出手段８を制御する。
【００４６】
読出手段８は、地図データ記憶手段９に記憶されている地図データのうち、位置測定手段６により測定された現在位置をほぼ中心とする地図データを読み出し、該地図データを描画手段１０に渡す。また、解析手段５は、データ記憶手段１９に記憶されている施設データのうち、ユーザにより選択指示された種類を示す識別コードを含み、かつ、位置測定手段６により測定された現在位置からの距離が半径５００メートル以内に位置する施設データを解析し、該施設データを描画手段１０に渡す。また、制御手段７は、位置測定手段６により測定された現在位置を描画手段１０に渡す。
【００４７】
描画手段１０は、位置測定手段６により測定された現在位置，読出手段８により読み出された地図データ，解析手段５により解析された施設データを合成して、表示手段１１に表示可能な表示データに変換し、該表示データを表示手段１１に渡す。表示手段１１は、描画手段１０により変換された表示データを表示する。
【００４８】
これにより、表示手段１１には、ユーザにより選択指示された種類の施設のうち、移動体の現在位置からの距離が半径５００メートル以内に位置する施設に関する情報が表示されることとなる。
【００４９】
なお、入力手段１２を用いて指示することにより、データ記憶手段１９に記憶されている施設データの一覧を表示手段１１に表示させることも可能である。
【００５０】
上述したように、本実施例によれば、ナビゲーション装置４００のユーザは、移動体の現在位置を知ることができると共に、所望の種類の施設のうち、移動体の現在位置からの距離が半径５００メートル以内に位置する施設に関する情報を入手することができる。
【００５１】
なお、本実施例において、ナビゲーション装置４００の制御手段７は、移動体の位置情報と、移動体の進行方向と、データ記憶手段１９に記憶されている施設データに含まれている場所データとを、位置比較部７２によって比較し、データ記憶手段１９に記憶されている施設データのうち、ユーザにより選択指示された種類を示す識別コードを含み、かつ、該現在位置からの距離が予め決められた範囲内（例えば、半径５００メートル以内）で、該進行方向に対して予め決められた角度範囲内（例えば、進行方向からプラスマイナス９０度の範囲内）に位置する施設データを解析するよう、制御部７１によって解析手段５を制御するようにしてもよい。
【００５２】
これにより、表示手段１１には、ユーザにより選択指示された種類の施設のうち、移動体の現在位置からの距離が半径５００メートル以内に位置し、かつ、移動体の進行方向からプラスマイナス９０度の範囲内に位置する施設に関する情報が表示されることとなる。
【００５３】
また、本実施例において、施設データ送信局３００の送信機１に、送信する施設データに盗聴防止用スクランブルをかける機能を持たせると共に、ナビゲーション装置４００の受信機４に、スクランブルを解除する機能を持たせるようにしてもよい。
【００５４】
これにより、スクランブル解除機能を有する受信機４を備えたナビゲーション装置４００を利用しないと、施設データを入手できないようにすることが可能となる。
【００５５】
次に、本発明の第３の実施例について、図７を用いて説明する。
【００５６】
図７は本発明の第３の実施例のナビゲーション装置を適用した情報伝送表示システムの構成図である。
【００５７】
図７において、５００は施設データ送信局、６００は移動体に設置されたナビゲーション装置である。
【００５８】
図７に示すように、施設データ送信局５００は、送受信機１３，制御手段１４，データベース１５，送受信用アンテナ１６を備えている。また、ナビゲーション装置６００は、解析手段５，位置測定手段６，制御手段７，読出手段８，地図データ記憶手段９，描画手段１０，表示手段１１，入力手段１２，送受信用アンテナ１７，送受信機１８，データ記憶手段１９を備えた構成となっている。なお、図７では、１つのナビゲーション装置６００に対して、１つの施設データ送信局５００しか示していないが、実際には、複数存在する。
【００５９】
本実施例が上記第２の実施例と異なるのは、施設データ送信局５００において、送信機１，送信用アンテナ２の代わりに、送受信機１３，送受信用アンテナ１６を備えるようにした点、および、ナビゲーション装置６００において、受信機４，受信用アンテナ３の代わりに、送受信機１８，送受信用アンテナ１７を備えるようにした点である。
【００６０】
そして、本実施例では、上記第２の実施例で説明したように、１つの施設データ送信局５００は、１種類の施設データをデータベース１５に記憶しているものとして説明する。すなわち、データベース１５には、施設データ送信局５００からの距離が予め決められた範囲内（例えば、半径数キロメートル以内）に位置する施設のうち、種類が同じ施設に関する情報を示す施設データが記憶されている。なお、施設データの構成は、上記第１の実施例で説明した通りである。
【００６１】
ナビゲーション装置６００においては、上記第１の実施例で説明したように、入力手段１２は、ナビゲーション装置６００のユーザが、場所等を知りたい所望の施設の種類を１つ以上選択指示することができるようになっている。
【００６２】
ナビゲーション装置６００のユーザが、入力手段１２を用いて、所望の施設の種類を選択指示すると、該施設の種類は、制御手段７に渡される。また、位置測定手段６は、移動体の現在位置を測定し、該現在位置を制御手段７に渡す。
【００６３】
なお、制御手段７の内容構成は、上記第２の実施例で説明した通りである。
【００６４】
さて、制御手段７は、ユーザにより施設の種類が選択指示されると、該施設の種類を送信するよう、制御部７１によって送受信機１８を制御する。送受信機１８は、送受信用アンテナ１７を通じて、ユーザにより選択指示された施設の種類を送信する。
【００６５】
施設データ送信局５００においては、送受信機１３は、送受信用アンテナ１６を通じて、ナビゲーション装置６００から送信された施設の種類を受信すると、該施設の種類を制御手段１４に渡す。
【００６６】
制御手段１４は、送受信機１３により受信された施設の種類が、自施設データ送信局５００が記憶している施設データに含まれている識別コードが示す施設の種類と一致した場合は、データベース１５に記憶されている施設データを送信するよう、送受信機１３を制御する。送受信機１３は、送受信用アンテナ１６を通じて、データベース１５に記憶されている施設データを送信する。
【００６７】
ナビゲーション装置６００においては、送受信機１８は、送受信用アンテナ１７を通じて、施設データ送信局５００から送信された施設データを受信すると、該施設データをデータ記憶手段１９に記憶する。
【００６８】
続いて、制御手段７は、位置測定手段６により測定された現在位置と、データ記憶手段１９に記憶されている施設データに含まれている場所データとを、位置比較部７２によって比較し、データ記憶手段１９に記憶されている施設データのうち、ユーザにより選択指示された種類を示す識別コードを含み、かつ、該現在位置からの距離が予め決められた範囲内（例えば、半径５００メートル以内）に位置する施設データを解析するよう、制御部７１によって解析手段５を制御する。また、制御手段７は、地図データ記憶手段９に記憶されている地図データのうち、位置測定手段６により測定された現在位置をほぼ中心とする地図データを読み出すよう、制御部７１によって読出手段８を制御する。
【００６９】
読出手段８は、地図データ記憶手段９に記憶されている地図データのうち、位置測定手段６により測定された現在位置をほぼ中心とする地図データを読み出し、該地図データを描画手段１０に渡す。また、解析手段５は、データ記憶手段１９に記憶されている施設データのうち、ユーザにより選択指示された種類を示す識別コードを含み、かつ、位置測定手段６により測定された現在位置からの距離が半径５００メートル以内に位置する施設データを解析し、該施設データを描画手段１０に渡す。また、制御手段７は、位置測定手段６により測定された現在位置を描画手段１０に渡す。
【００７０】
描画手段１０は、位置測定手段６により測定された現在位置，読出手段８により読み出された地図データ，解析手段５により解析された施設データを合成して、表示手段１１に表示可能な表示データに変換し、該表示データを表示手段１１に渡す。表示手段１１は、描画手段１０により変換された表示データを表示する。
【００７１】
これにより、表示手段１１には、ユーザにより選択指示された種類の施設のうち、移動体の現在位置からの距離が半径５００メートル以内に位置する施設に関する情報が表示されることとなる。
【００７２】
なお、入力手段１２を用いて指示することにより、データ記憶手段１９に記憶されている施設データの一覧を表示手段１１に表示させることも可能である。
【００７３】
上述したように、本実施例によれば、ナビゲーション装置６００のユーザは、移動体の現在位置を知ることができると共に、所望の種類の施設のうち、移動体の現在位置からの距離が半径５００メートル以内に位置する施設に関する情報を入手することができる。
【００７４】
なお、ナビゲーション装置６００において、入力手段１２は、ナビゲーション装置６００のユーザが、ユーザを識別するためのユーザＩＤを入力することができるようにしてもよく、このようにした場合、ナビゲーション装置６００の制御手段７は、ユーザにより入力されたユーザＩＤを送信するよう、制御部７１によって送受信機１８を制御するようにすれば、施設データ送信局５００において、該ユーザＩＤによりユーザを識別し、例えば、ユーザが予め登録している銀行口座等から自動的に利用料金を引き落すようにするなど、課金するためにユーザＩＤを利用することができる。
【００７５】
また、本実施例において、ナビゲーション装置６００の制御手段７は、移動体の位置情報と、移動体の進行方向と、データ記憶手段１９に記憶されている施設データに含まれている場所データとを、位置比較部７２によって比較し、データ記憶手段１９に記憶されている施設データのうち、該現在位置からの距離が予め決められた範囲内（例えば、半径５００メートル以内）に位置し、かつ、該進行方向に対して予め決められた角度範囲内（例えば、進行方向からプラスマイナス９０度の範囲内）に位置する施設データを解析するよう、制御部７１によって解析手段５を制御するようにしてもよい。
【００７６】
これにより、表示手段１１には、ユーザにより選択指示された種類の施設のうち、移動体の現在位置からの距離が半径５００メートル以内に位置し、かつ、移動体の進行方向からプラスマイナス９０度の範囲内に位置する施設に関する情報が表示されることとなる。
【００７７】
また、本実施例において、ナビゲーション装置６００の制御手段７は、ユーザにより選択指示された施設の種類と共に、移動体の現在位置を送信するよう、制御部７１によって送受信機１８を制御するようにしてもよく、このようにした場合、施設データ送信局５００の制御手段１４は、該施設の種類が、自施設データ送信局５００が記憶している施設データに含まれている識別コードが示す施設の種類と一致した場合は、さらに、データベース１５に記憶されている施設データのうち、該現在位置からの距離が予め決められた範囲内（例えば、半径３キロメートル以内）に位置する施設データを送信するよう、送受信機１３を制御するようにすることができる。
【００７８】
これにより、施設データ送信局５００は、移動体の現在位置からの距離が半径３キロメートル以内に位置する施設データを送信することとなるので、有用な施設データを送信しながらも、送信する施設データ量を少なくすることができ、送信時間を短くすることができる。
【００７９】
また、本実施例において、ナビゲーション装置６００の制御手段７は、ユーザにより選択指示された施設の種類と共に、移動体の現在位置および進行方向を送信するよう、制御部７１によって送受信機１８を制御するようにしてもよく、このようにした場合、施設データ送信局５００の制御手段１４は、該施設の種類が、自施設データ送信局５００が記憶している施設データに含まれている識別コードが示す施設の種類と一致した場合は、さらに、データベース１５に記憶されている施設データのうち、該現在位置からの距離が予め決められた範囲内（例えば、半径３キロメートル以内）に位置し、かつ、該進行方向に対して予め決められた角度範囲内（例えば、進行方向からプラスマイナス９０度の範囲内）に位置する施設データを送信するよう、送受信機１３を制御するようにすることができる。
【００８０】
これにより、施設データ送信局５００は、移動体の現在位置からの距離が半径３キロメートル以内に位置し、かつ、移動体の進行方向からプラスマイナス９０度の範囲内に位置する施設データを送信することとなるので、有用な施設データを送信しながらも、送信する施設データ量をさらに少なくすることができ、送信時間をさらに短くすることができる。
【００８１】
また、本実施例において、施設データ送信局５００の送受信機１３に、送信する施設データに盗聴防止用スクランブルをかける機能を持たせると共に、ナビゲーション装置６００の送受信機１８に、スクランブルを解除する機能を持たせるようにしてもよい。
【００８２】
これにより、スクランブル解除機能を有する送受信機１８を備えたナビゲーション装置６００を利用しないと、施設データを入手できないようにすることが可能となる。
【００８３】
次に、本発明の第４の実施例について、図８を用いて説明する。
【００８４】
図８は本発明の第４の実施例のナビゲーション装置を適用した情報伝送表示システムの構成図である。
【００８５】
図８において、５００は施設データ送信局、７００は移動体に設置されたナビゲーション装置である。
【００８６】
図８に示すように、施設データ送信局５００は、送受信機１３，制御手段１４，データベース１５，送受信用アンテナ１６を備えている。また、ナビゲーション装置７００は、解析手段５，位置測定手段６，制御手段７，読出手段８，地図データ記憶手段９，描画手段１０，表示手段１１，入力手段１２，送受信用アンテナ１７，送受信機１８，データ記憶手段１９，ルート計算手段２０を備えた構成となっている。なお、図８では、１つのナビゲーション装置７００に対して、１つの施設データ送信局５００しか示していないが、実際には、複数存在する。
【００８７】
本実施例が上記第３の実施例と異なるのは、ナビゲーション装置７００において、ルート計算手段２０をさらに備えるようにした点である。
【００８８】
そして、本実施例では、上記第２の実施例で説明したように、１つの施設データ送信局５００は、１種類の施設データをデータベース１５に記憶しているものとして説明する。すなわち、データベース１５には、施設データ送信局５００からの距離が予め決められた範囲内（例えば、半径数キロメートル以内）に位置する施設のうち、種類が同じ施設に関する情報を示す施設データが記憶されている。なお、施設データの構成は、上記第１の実施例で説明した通りである。
【００８９】
ナビゲーション装置７００においては、入力手段１２は、ナビゲーション装置７００のユーザが、目的地を入力することができるようになっている。
【００９０】
ナビゲーション装置７００のユーザが、入力手段１２を用いて、目的地を入力すると、該目的地は、制御手段７に渡される。また、位置測定手段６は、移動体の現在位置を測定し、該現在位置を制御手段７に渡す。
【００９１】
なお、制御手段７の内部構成は、上記第２の実施例で説明した通りである。
【００９２】
さて、制御手段７は、地図データ記憶手段９に記憶されている地図データのうち、位置測定手段６により測定された現在位置およびユーザにより入力された目的地を含む地図データを読み出すよう、制御部７１によって読出手段８を制御する。読出手段８は、地図データ記憶手段９に記憶されている地図データのうち、位置測定手段６により測定された現在位置およびユーザにより入力された目的地を含む地図データを読み出し、該地図データを、描画手段１０およびルート計算手段２０に渡す。
【００９３】
また、制御手段７は、位置測定手段６により測定された現在位置からユーザにより入力された目的地に至るルートを計算するよう、制御部７１によってルート計算手段２０を制御する。ルート計算手段２０は、位置測定手段６により測定された現在位置からユーザにより入力された目的地に至るルートを計算し、該ルートを描画手段１０に渡す。
【００９４】
描画手段１０は、位置測定手段６により測定された現在位置，読出手段８により読み出された地図データ，ルート計算手段２０により計算されたルートを合成して、表示手段１１に表示可能な表示データに変換し、該表示データを表示手段１１に渡す。表示手段１１は、描画手段１０により変換された表示データを表示する。
【００９５】
これにより、表示手段１１には、移動体の現在位置およびユーザにより入力された目的地を含む地図データが表示され、さらに、該現在位置，該現在位置から該目的地に至るルートが表示される。
【００９６】
ところで、ナビゲーション装置７００においては、上記第１の実施例で説明したように、入力手段１２は、ナビゲーション装置７００のユーザが、場所等を知りたい所望の施設の種類を１つ以上選択指示することができるようになっている。
【００９７】
ナビゲーション装置７００のユーザが、入力手段１２を用いて、所望の施設の種類を選択指示すると、該施設の種類は、制御手段７に渡される。制御手段７は、ユーザにより施設の種類が選択指示されると、該施設の種類を送信するよう、制御部７１によって送受信機２０を制御する。送受信機２０は、送受信用アンテナ１７を通じて、ユーザにより選択指示された施設の種類を送信する。
【００９８】
施設データ送信局５００においては、送受信機１３は、送受信用アンテナ１６を通じて、ナビゲーション装置７００から送信された施設の種類を受信すると、該施設の種類を制御手段１４に渡す。
【００９９】
制御手段１４は、送受信機１３により受信された施設の種類が、自施設データ送信局７００が記憶している施設データに含まれている識別コードが示す施設の種類と一致した場合は、データベース１５に記憶されている施設データを送信するよう、送受信機１３を制御する。送受信機１３は、送受信用アンテナ１６を通じて、データベース１５に記憶されている施設データを送信する。ここで、送受信機１３は、送信する施設データに盗聴防止用スクランブルをかけるようにすることができる。
【０１００】
ナビゲーション装置７００においては、送受信機１８は、送受信用アンテナ１７を通じて、施設データ送信局５００から送信された施設データを受信すると、該施設データをデータ記憶手段１９に記憶する。なお、施設データ送信局５００が施設データに盗聴防止用スクランブルをかけて送信するようにした場合は、送受信機１８は、該盗聴用スクランブルを解除するようにする。
【０１０１】
続いて、制御手段７は、位置測定手段６により測定された現在位置と、データ記憶手段１９に記憶されている施設データに含まれている場所データと、ルート計算手段２０により計算されたルートとを、位置比較部７２によって比較し、データ記憶手段１９に記憶されている施設データのうち、ユーザにより選択指示された種類を示す識別コードを含み、かつ、該現在位置からの距離が予め決められた範囲内（例えば、半径５００メートル以内）で、該ルートからの距離が予め決められた範囲内（例えば、半径１００メートル以内）に位置する施設データを解析するよう、制御部７１によって解析手段５を制御する。
【０１０２】
解析手段５は、データ記憶手段１９に記憶されている施設データのうち、ユーザにより選択指示された種類を示す識別コードを含み、かつ、位置測定手段６により測定された現在位置からの距離が半径５００メートル以内で、ルート計算手段２０により計算せたルートからの距離が半径１００メートル以内に位置する施設データを解析し、該施設データを描画手段１０に渡す。
【０１０３】
描画手段１０は、位置測定手段６により測定された現在位置，読出手段８により読み出された地図データ，ルート計算手段２０により計算されたルート，解析手段５により解析された施設データを合成して、表示手段１１に表示可能な表示データに変換し、該表示データを表示手段１１に渡す。表示手段１１は、描画手段１０により変換された表示データを表示する。
【０１０４】
これにより、表示手段１１には、移動体の現在位置からユーザにより入力された目的地に至るルートに沿った場所に位置する施設に関する情報が表示されることとなる。
【０１０５】
なお、入力手段１２を用いて指示することにより、データ記憶手段１９に記憶されている施設データの一覧を表示手段１１に表示させることも可能である。
【０１０６】
上述したように、本実施例によれば、ナビゲーション装置７００のユーザは、移動体の現在位置、および、該現在位置からユーザにより入力された目的地に至るルートを知ることができると共に、該ルートに沿った場所に位置する所望の種類の施設に関する情報を入手することができる。
【０１０７】
なお、ナビゲーション装置７００において、入力手段１２は、ナビゲーション装置７００のユーザが、ユーザを識別するためのユーザＩＤを入力することができるようにしてもよく、このようにした場合、ナビゲーション装置７００の制御手段７は、ユーザにより入力されたユーザＩＤを送信するよう、制御部７１によって送受信機１８を制御するようにすれば、施設データ送信局５００において、該ユーザＩＤによりユーザを識別し、例えば、ユーザが予め登録している銀行口座等から自動的に利用料金を引き落すようにするなど、課金するためにユーザＩＤを利用することができる。
【０１０８】
また、本実施例において、ナビゲーション装置７００の制御手段７は、データ記憶手段１９に記憶されている施設データに含まれている場所データと、移動体の現在位置と、移動体の進行方向と、ルート計算手段２０により計算されたルートとを、位置比較部７２によって比較し、データ記憶手段１９に記憶されている施設データのうち、該現在位置からの距離が予め決められた範囲内（例えば、半径５００メートル以内）で、該進行方向に対して予め決められた角度範囲内（例えば、進行方向からプラスマイナス９０度の範囲内）に位置し、かつ、該ルートルートからの距離が予め決められた範囲内（例えば、半径１００ｍ以内）に位置する施設データを解析するよう、制御部７１によって解析手段５を制御するようにしてもよい。
【０１０９】
これにより、表示手段１１には、ユーザにより選択指示された種類の施設のうち、移動体の現在位置からの距離が半径５００メートル以内で、移動体の進行方向からプラスマイナス９０度の範囲内に位置し、かつ、移動体の現在位置からユーザにより入力された目的地に至るルートからの距離が半径１００ｍ以内に位置する施設に関する情報が表示されることとなる。
【０１１０】
また、本実施例において、ナビゲーション装置７００の制御手段７は、ユーザにより選択指示された施設の種類と共に、移動体の現在位置を送信するよう、送受信機１８を制御するようにしてもよく、このようにした場合、施設データ送信局５００の制御手段１４は、該施設の種類が、自施設データ送信局５００が記憶している施設データに含まれている識別コードが示す施設の種類と一致した場合は、さらに、データベース１５に記憶されている施設データのうち、該現在位置からの距離が予め決められた範囲内（例えば、半径３キロメートル以内）に位置する施設データを送信するよう、送受信機１３を制御するようにすることができる。
【０１１１】
これにより、施設データ送信局５００は、移動体の現在位置からの距離が半径３キロメートル以内に位置する施設データを送信することとなるので、有用な施設データを送信しながらも、送信する施設データ量を少なくすることができ、送信時間を短くすることができる。
【０１１２】
また、本実施例において、ナビゲーション装置７００の制御手段７は、ユーザにより選択指示された施設の種類と共に、移動体の現在位置および進行方向を送信するよう、制御部７１によって送受信機１８を制御するようにしてもよく、このようにした場合、施設データ送信局５００の制御手段１４は、該施設の種類が、自施設データ送信局５００が記憶している施設データに含まれている識別コードが示す施設の種類と一致した場合は、さらに、データベース１５に記憶されている施設データのうち、該現在位置からの距離が予め決められた範囲内（例えば、半径３キロメートル以内）に位置し、かつ、該進行方向に対して予め決められた角度範囲内（例えば、進行方向からプラスマイナス９０度の範囲内）に位置する施設データを送信するよう、送受信機１３を制御するようにすることができる。
【０１１３】
これにより、施設データ送信局５００は、移動体の現在位置からの距離が半径３キロメートル以内に位置し、かつ、移動体の進行方向からプラスマイナス９０度の範囲内に位置する施設データを送信することとなるので、有用な施設データを送信しながらも、送信する施設データ量をさらに少なくすることができ、送信時間をさらに短くすることができる。
【０１１４】
次に、本発明の第５の実施例について、図９を用いて説明する。
【０１１５】
図９は本発明の第５の実施例のナビゲーション装置を適用した情報伝送表示システムの構成図である。
【０１１６】
図９において、８００は施設データ送信局、６００は移動体に設置されたナビゲーション装置である。
【０１１７】
図９に示すように、施設データ送信局８００は、送受信機１３，制御手段１４，データベース１５−１〜１５−ｎ，送受信用アンテナ１６を備えている。また、ナビゲーション装置６００は、解析手段５，位置測定手段６，制御手段７，読出手段８，地図データ記憶手段９，描画手段１０，表示手段１１，入力手段１２，送受信用アンテナ１７，送受信機１８，データ記憶手段１９を備えた構成となっている。なお、図９では、１つのナビゲーション装置６００に対して、１つの施設データ送信局８００しか示していないが、実際には、複数存在する。
【０１１８】
本実施例が上記第３の実施例と異なるのは、施設データ送信局８００が、１種類の施設データではなく、全ての種類の施設データをデータベース１５−１〜１５−ｎに記憶するようにした点である。
【０１１９】
そして、本実施例では、施設の種類ごとに施設データを分け、それぞれ、データベース１５−１〜１５−ｎに記憶しているものとして説明する。なお、施設データの構成は、上記第１の実施例で説明した通りである。
【０１２０】
ナビゲーション装置６００においては、上記第１の実施例で説明したように、入力手段１２は、ナビゲーション装置６００のユーザが、場所等を知りたい所望の施設の種類を１つ以上選択指示することができるようになっている。
【０１２１】
ナビゲーション装置６００のユーザが、入力手段１２を用いて、所望の施設の種類を選択指示すると、該施設の種類は、制御手段７に渡される。また、位置制御手段６は、移動体の現在位置を測定し、該現在位置を制御手段７に渡す。
【０１２２】
なお、制御手段７の内部構成は、上記第２の実施例で説明した通りである。
【０１２３】
さて、制御手段７は、ユーザにより施設の種類が選択指示されると、該施設の種類を送信するよう、制御部７１によって送受信機１８を制御する。送受信機１８は、送受信用アンテナ１７を通じて、ユーザにより選択指示された施設の種類を送信する。
【０１２４】
施設データ送信局８００においては、送受信機１３は、送受信用アンテナ１６を通じて、ナビゲーション装置６００から送信された施設の種類を受信すると、該施設の種類を制御手段１４に渡す。
【０１２５】
制御手段１４は、データベース１５−１〜１５−ｎのうち、送受信機１３により受信された施設の種類に対応する施設データを記憶しているデータベース１５−ｉを求め、該データベース１５−ｉに記憶されている施設データを送信するよう、送受信機１３を制御する。送受信機１３は、送受信用アンテナ１６を通じて、制御手段１４により求められたデータベース１５−ｉに記憶されている施設データを送信する。ここで、送受信機１３は、送信する施設データに盗聴防止用スクランブルをかけるようにすることができる。
【０１２６】
ナビゲーション装置６００においては、送受信機１８は、送受信用アンテナ１７を通じて、施設データ送信局８００から送信された施設データを受信すると、該施設データをデータ記憶手段１９に記憶する。なお、施設データ送信局８００が施設データに盗聴防止用スクランブルをかけて送信するようにした場合は、送受信機１８は、該盗聴用スクランブルを解除するようにする。
【０１２７】
続いて、制御手段７は、位置測定手段６により測定された現在位置と、データ記憶手段１９に記憶されている施設データに含まれている場所データとを、位置比較部７２によって比較し、データ記憶手段１９に記憶されている施設データのうち、ユーザにより選択指示された種類を示す識別コードを含み、かつ、該現在位置からの距離が予め決められた範囲内（例えば、半径５００メートル以内）に位置する施設データを解析するよう、制御部７１によって解析手段５を制御する。また、制御手段７は、地図データ記憶手段９に記憶されている地図データのうち、位置測定手段６により測定された現在位置をほぼ中心とする地図データを読み出すよう、制御部７１によって読出手段８を制御する。
【０１２８】
読出手段８は、地図データ記憶手段９に記憶されている地図データのうち、位置測定手段６により測定された現在位置をほぼ中心とする地図データを読み出し、該地図データを描画手段１０に渡す。また、解析手段５は、データ記憶手段１９に記憶されている施設データのうち、ユーザにより選択指示された種類を示す識別コードを含み、かつ、位置測定手段６により測定された現在位置からの距離が半径５００キロメートル以内に位置する施設データを解析し、該施設データを描画手段１０に渡す。また、制御手段７は、位置測定手段６により測定された現在位置を描画手段１０に渡す。
【０１２９】
描画手段１０は、位置測定手段６により測定された現在位置，読出手段８により読み出された地図データ，解析手段５により解析された施設データを合成して、表示手段１１に表示可能な表示データに変換し、該表示データを表示手段１１に渡す。表示手段１１は、描画手段１０により変換された表示データを表示する。
【０１３０】
これにより、表示手段１１には、ユーザにより選択指示された種類の施設のうち、移動体の現在位置からの距離が半径５００メートル以内に位置する施設に関する情報が表示されることとなる。
【０１３１】
なお、入力手段１２を用いて指示することにより、データ記憶手段１９に記憶されている施設データの一覧を表示手段１１に表示させることも可能である。
【０１３２】
上述したように、本実施例によれば、ナビゲーション装置６００のユーザは、移動体の現在位置を知ることができると共に、所望の種類の施設のうち、移動体の現在位置からの距離が半径５００メートル以内に位置する施設に関する情報を入手することができる。
【０１３３】
なお、ナビゲーション装置６００において、入力手段１２は、ナビゲーション装置６００のユーザが、ユーザを識別するためのユーザＩＤを入力することができるようにしてもよく、このようにした場合、ナビゲーション装置６００の制御手段７は、ユーザにより入力されたユーザＩＤを送信するよう、制御部７１によって送受信機１８を制御するようにすれば、施設データ送信局８００において、該ユーザＩＤによりユーザを識別し、例えば、ユーザが予め登録している銀行口座等から自動的に利用料金を引き落すようにするなど、課金するためにユーザＩＤを利用することができる。
【０１３４】
また、本実施例において、ナビゲーション装置６００の制御手段７は、移動体の現在位置と、移動体の進行方向と、データ記憶手段１９に記憶されている施設データに含まれている場所データとを、位置比較部７２によって比較し、データ記憶手段１９に記憶されている施設データのうち、該現在位置からの距離が予め決められた範囲内（例えば、半径５００メートル以内）に位置し、かつ、該進行方向に対して予め決められた角度範囲内（例えば、進行方向からプラスマイナス９０度の範囲内）に位置する施設データを解析するよう、制御部７１によって解析手段５を制御するようにしてもよい。
【０１３５】
これにより、表示手段１１には、ユーザにより選択指示された種類の施設のうち、移動体の現在位置からの距離が半径５００メートル以内に位置し、かつ、移動体の進行方向からプラスマイナス９０度の範囲内に位置する施設に関する情報が表示されることとなる。
【０１３６】
また、本実施例において、ナビゲーション装置６００の制御手段７は、ユーザにより選択指示された施設の種類と共に、移動体の現在位置を送信するよう、制御部７１によって送受信機１８を制御するようにしてもよく、このようにした場合、施設データ送信局８００の制御手段１４は、データベース１５−１〜１５−ｎのうち、該施設の種類に対応する施設データを記憶しているデータベース１５−ｉを求め、さらに、該データベース１５−ｉに記憶されている施設データのうち、該現在位置からの距離が予め決められた範囲内（例えば、半径３キロメートル以内）に位置する施設データを送信するよう、送受信機１３を制御するようにすることができる。
【０１３７】
これにより、施設データ送信局８００は、移動体の現在位置からの距離が半径３キロメートル以内に位置する施設データを送信することとなるので、有用な施設データを送信しながらも、送信する施設データ量を少なくすることができ、送信時間を短くすることができる。
【０１３８】
また、本実施例において、ナビゲーション装置６００の制御手段７は、ユーザにより選択指示された施設の種類と共に、移動体の現在位置および進行方向を送信するよう、制御部７１によって送受信機１８を制御するようにしてもよく、このようにした場合、施設データ送信局８００の制御手段１４は、データベース１５−１〜１５−ｎのうち、該施設の種類に対応する施設データを記憶しているデータベース１５−ｉを求め、さらに、該データベース１５−ｉに記憶されている施設データのうち、該現在位置からの距離が予め決められた範囲内（例えば、半径３キロメートル以内）に位置し、かつ、該進行方向に対して予め決められた角度範囲内（例えば、進行方向からプラスマイナス９０度の範囲内）に位置する施設データを送信するよう、送受信機１３を制御するようにすることができる。
【０１３９】
これにより、施設データ送信局８００は、移動体の現在位置からの距離が半径３キロメートル以内に位置し、かつ、移動体の進行方向からプラスマイナス９０度の範囲内に位置する施設データを送信することとなるので、有用な施設データを送信しながらも、送信する施設データ量をさらに少なくすることができ、送信時間をさらに短くすることができる。
【０１４０】
次に、本発明の第６の実施例について、図１０を用いて説明する。
【０１４１】
図１０は本発明の第６のナビゲーション装置を適用した実施例の情報伝送表示システムの構成図である。
【０１４２】
図１０において、９００はサービスセンタ、１０００は移動体に設置されたナビゲーション装置である。
【０１４３】
図１０に示すように、サービスセンタ９００は、交換手段２１，制御手段１４，データベース１５−１〜１５−ｎを備えている。また、ナビゲーション装置１０００は、解析手段５，位置測定手段６，制御手段７，読出手段８，地図データ記憶手段９，描画手段１０，表示手段１１，入力手段１２，送受信用アンテナ１７，データ記憶手段１９，無線電話２２を備えた構成となっている。なお、図１０では、１つのナビゲーション装置１０００に対して、１つの施設データ送信局９００しか示していないが、複数存在してもよい。
【０１４４】
ナビゲーション装置１０００は、無線電話２２を内蔵／接続しており、無線電話２２からサービスセンタ９００に対して発呼することにより、基地局および交換機を介して、無線電話２２とサービスセンタ９００との間を回線接続することができるようになっている。
【０１４５】
また、サービスセンタ９００は、全ての種類の施設データをデータベース１５−１〜１５−ｎに記憶するようになっている。そして、本実施例では、サービスセンタ９００が、施設の種類ごとに施設データを分け、それぞれ、データベース１５−１〜１５−ｎに記憶しているものとして説明する。なお、施設データの構成は、上記第１の実施例で説明した通りである。
【０１４６】
ナビゲーション装置１０００においては、上記第１の実施例で説明したように、入力手段１２は、ナビゲーション装置１０００のユーザが、場所等を知りたい所望の施設の種類を１つ以上選択指示することができるようになっている。
【０１４７】
ナビゲーション装置１０００のユーザが、入力手段１２を用いて、所望の施設の種類を選択指示すると、該施設の種類は、制御手段７に渡される。また、位置制御手段６は、移動体の現在位置を測定し、該現在位置を制御手段７に渡す。
【０１４８】
なお、制御手段７の内部構成は、上記第２の実施例で説明した通りである。
【０１４９】
さて、制御手段７は、ユーザにより施設の種類が選択指示されると、該施設の種類および位置測定手段６により測定された現在位置をサービスセンタ９００に送信するよう、制御部７１によって無線電話２２を制御する。無線電話２２は、予め登録されているサービスセンタ９００の電話番号に基づいて、サービスセンタ９００に対して発呼し、サービスセンタ９００との間の回線が接続されると、送受信用アンテナ１７を通じて、ユーザにより選択指示された施設の種類および位置測定手段６により測定された現在位置を送信する。
【０１５０】
サービスセンタ９００においては、交換手段２１は、無線電話２２から送信された施設の種類および現在位置を受信すると、該施設の種類および該現在位置を制御手段１４に渡す。
【０１５１】
制御手段１４は、データベース１５−１〜１５−ｎのうち、交換手段２１により受信された施設の種類に対応する施設データを記憶しているデータベース１５−ｉを求め、該データベース１５−ｉに記憶されている施設データのうち、交換手段２１により受信された現在位置からの距離が予め決められた範囲内（例えば、半径３キロメートル以内）に位置する施設データを無線電話２２に送信するよう、交換手段２１を制御する。交換手段２１は、制御手段１４により求められたデータベース１５−ｉに記憶されている施設データのうち、交換手段２１により受信された現在位置からの距離が半径３キロメートル以内に位置する施設データを無線電話２２に送信する。
【０１５２】
ナビゲーション装置１０００においては、無線電話２２は、送受信用アンテナ１７を通じて、サービスセンタ９００から送信された施設データを受信すると、サービスセンタ９００との間の回線を切断すると共に、該施設データをデータ記憶手段１９に記憶する。
【０１５３】
続いて、制御手段７は、位置測定手段６により測定された現在位置と、データ記憶手段１９に記憶されている施設データに含まれている場所データとを、位置比較部７２によって比較し、データ記憶手段１９に記憶されている施設データのうち、該現在位置からの距離が予め決められた範囲内（例えば、半径５００メートル以内）に位置する施設データを解析するよう、制御部７１によって解析手段５を制御する。また、制御手段７は、地図データ記憶手段９に記憶されている地図データのうち、位置測定手段６により測定された現在位置をほぼ中心とする地図データを読み出すよう、制御部７１によって読出手段８を制御する。
【０１５４】
読出手段８は、地図データ記憶手段９に記憶されている地図データのうち、位置測定手段６により測定された現在位置をほぼ中心とする地図データを読み出し、該地図データを描画手段１０に渡す。また、解析手段５は、データ記憶手段１９に記憶されている施設データのうち、位置測定手段６により測定された現在位置からの距離が半径５００メートル以内に位置する施設データを解析し、該施設データを描画手段１０に渡す。また、制御手段７は、位置測定手段６により測定された現在位置を描画手段１０に渡す。
【０１５５】
描画手段１０は、位置測定手段６により測定された現在位置，読出手段８により読み出された地図データ，解析手段５により解析された施設データを合成して、表示手段１１に表示可能な表示データに変換し、該表示データを表示手段１１に渡す。表示手段１１は、描画手段１０により変換された表示データを表示する。
【０１５６】
これにより、表示手段１１には、ユーザにより選択指示された種類の施設のうち、移動体の現在位置からの距離が半径５００メートル以内に位置する施設に関する情報が表示されることとなる。
【０１５７】
なお、入力手段１２を用いて指示することにより、データ記憶手段１９に記憶されている施設データの一覧を表示手段１１に表示させることも可能である。
【０１５８】
上述したように、本実施例によれば、ナビゲーション装置１０００のユーザは、移動体の現在位置を知ることができると共に、所望の種類の施設のうち、移動体の現在位置からの距離が半径５００メートル以内に位置する施設に関する情報を入手することができる。また、サービスセンタ９００は、移動体の現在位置からの距離が半径３キロメートル以内に位置する施設データを送信することとなるので、有用な施設データを送信しながらも、送信する施設データ量を少なくすることができ、送信時間を短くすることができる。
【０１５９】
なお、本実施例においては、無線電話２２とサービスセンタ９００との間が回線接続され、１対１の通信を行うことが可能となるので、サービスセンタ９００は、送信する施設データに盗聴用スクランブルをかける必要はない。
【０１６０】
また、ナビゲーション装置１０００において、入力手段１２は、ナビゲーション装置１０００のユーザが、ユーザを識別するためのユーザＩＤを入力することができるようにしてもよく、このようにした場合、ナビゲーション装置１０００の制御手段７は、ユーザにより入力されたユーザＩＤをサービスセンタ９００に送信するよう、制御部７１によって無線電話２２を制御するようにすれば、サービスセンタ９００において、該ユーザＩＤによりユーザを識別し、例えば、サービスを享受することができるユーザであるか否かを判定したり、また、例えば、ユーザが予め登録している銀行口座等から自動的に利用料金を引き落すようにしたりするなど、正当性を判定するためや課金するためにユーザＩＤを利用することができる。
【０１６１】
また、本実施例において、ナビゲーション装置１０００の制御手段７は、移動体の現在位置と、移動体の進行方向と、データ記憶手段１９に記憶されている施設データに含まれている場所データとを、位置比較部７２によって比較し、データ記憶手段１９に記憶されている施設データのうち、該現在位置からの距離が予め決められた範囲内（例えば、半径５００メートル以内）に位置し、かつ、該進行方向に対して予め決められた角度範囲内（例えば、進行方向からプラスマイナス９０度の範囲内）に位置する施設データを解析するよう、制御部７１によって解析手段５を制御するようにしてもよい。
【０１６２】
これにより、表示手段１１には、ユーザにより選択指示された種類の施設のうち、移動体の現在位置からの距離が半径５００メートル以内に位置し、かつ、移動体の進行方向からプラスマイナス９０度の範囲内に位置する施設に関する情報が表示されることとなる。
【０１６３】
また、本実施例において、ナビゲーション装置１０００の制御手段７は、ユーザにより選択指示された施設の種類および移動体の現在位置と共に、移動体の進行方向をサービスセンタ９００に送信するよう、制御部７１によって無線電話２２を制御するようにしてもよく、このようにした場合、サービスセンタ９００の制御手段１４は、データベース１５−１〜１５−ｎのうち、該施設の種類に対応する施設データを記憶しているデータベース１５−ｉを求め、さらに、該データベース１５−ｉに記憶されている施設データのうち、該現在位置からの距離が予め決められた範囲内（例えば、半径３キロメートル以内）に位置し、かつ、該進行方向に対して予め決められた角度範囲内（例えば、進行方向からプラスマイナス９０度の範囲内）に位置する施設データを無線電話２２に送信するよう、交換手段２１を制御するようにすることができる。
【０１６４】
これにより、サービスセンタ９００は、移動体の現在位置からの距離が半径３キロメートル以内に位置し、かつ、移動体の進行方向からプラスマイナス９０度の範囲内に位置する施設データを送信することとなるので、有用な施設データを送信しながらも、送信する施設データ量をさらに少なくすることができ、送信時間をさらに短くすることができる。
【図面の簡単な説明】
【０１６５】
【図１】第１の実施例の情報伝送表示システムの構成図。
【図２】施設データの構成図。
【図３】表示手段の表示例を示す説明図。
【図４】入力手段の一例を示す説明図。
【図５】第２の実施例の情報伝送表示システムの構成図。
【図６】制御手段の内部構成図。
【図７】第３の実施例の情報伝送表示システムの構成図。
【図８】第４の実施例の情報伝送表示システムの構成図。
【図９】第５の実施例の情報伝送表示システムの構成図。
【図１０】第６の実施例の情報伝送表示システムの構成図。
【符号の説明】
【０１６６】
１００…施設、２００，４００，６００，７００，１０００…ナビゲーション装置、３００，５００，８００…施設データ送信局、９００…サービスセンタ、１…送信機、２…送信用アンテナ、３…受信用アンテナ、４…受信機、５…解析手段、６…位置測定手段、７，１４…制御手段、８…読出手段、９…地図データ記憶手段、１０…描画手段、１１…表示手段、１２…入力手段、１３，１８…送受信機、１５…データベース、１６，１７…送受信用アンテナ、１９…データ記憶手段、２０…ルート計算手段、２１…交換手段、２２…無線電話、７１…制御部、７２…位置比較部。
【図１】
2006171007.tif 000003
【図２】
2006171007.tif 000004
【図３】
2006171007.tif 000005
【図４】
2006171007.tif 000006
【図５】
2006171007.tif 000007
【図６】
2006171007.tif 000008
【図７】
2006171007.tif 000009
【図８】
2006171007.tif 000010
【図９】
2006171007.tif 000011
【図１０】
2006171007.tif 000012
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
施設の種類を入力し、
前記入力された施設の種類をサービスセンタに送信し、
前記サービスセンタから前記施設の種類に関する情報を受信し、
現在の位置を示す位置情報を取得し、
前記受信した情報の中から前記位置情報に応じて選択された情報を表示することを特徴とするナビゲーション情報提供方法。
【請求項２】
ナビゲーション装置であって、
複数の施設の種類の中から１つを選択する選択手段と、
目的地の入力を受け付ける目的地入力手段と、
前記選択手段により選択された施設の種類をサービスセンタに送信する送信手段と、
前記サービスセンタから前記選択された施設の種類に対応し、かつ前記ナビゲーション装置の現在の位置からの距離が所定範囲内に位置する施設に関する情報を受信する受信手段と、
前記受信手段により受信した施設に関する情報を用いて、前記所定範囲内に位置する施設と前記現在の位置から前記目的地までのルートを表示する描画手段と、
を備えていることを特徴とするナビゲーション装置。
【手続補正３】
【補正対象書類名】明細書
【補正対象項目名】０００９
【補正方法】変更
【補正の内容】
【０００９】
本発明にかかるナビゲーション情報提供方法は、施設の種類を入力し、前記入力された施設の種類をサービスセンタに送信し、前記サービスセンタから前記施設の種類に関する情報を受信し、現在の位置を示す位置情報を取得し、前記受信した情報の中から前記位置情報に応じて選択された情報を表示することを特徴とする。また、本発明にかかるナビゲーション装置は、複数の施設の種類の中から１つを選択する選択手段と、目的地の入力を受け付ける目的地入力手段と、前記選択手段により選択された施設の種類をサービスセンタに送信する送信手段と、前記サービスセンタから前記選択された施設の種類に対応し、かつ前記ナビゲーション装置の現在の位置からの距離が所定範囲内に位置する施設に関する情報を受信する受信手段と、前記受信手段により受信した施設に関する情報を用いて、前記所定範囲内に位置する施設と前記現在の位置から前記目的地までのルートを表示する描画手段と、を備えていることを特徴とする。